【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
表示対象情報を記憶した記憶手段と、
前記表示対象情報の画面表示および操作を行う表示操作手段と、
指定されたキーワードに基づいて前記記憶手段から該当する表示対象情報を検索する検索手段と、を備え、
前記表示操作手段は、画面上に表示されている表示対象情報中の部分情報を指定させて、指定された部分情報を前記検索手段で使用するキーワードとして前記検索手段に受け渡すと共に、前記検索手段から検索結果を受け取って画面上に表示し、
前記検索手段は、前記表示操作手段から受け渡されたキーワードを用いて該当する表示対象情報の検索を行い、検索結果を前記表示操作手段に受け渡すことを特徴とする文書情報管理装置。
【請求項２】
前記検索結果に基づいて作成されたポップアップ画面を表示する画面表示手段をさらに備えたことを特徴とする請求項１に記載の文書情報管理装置。
【請求項３】
前記表示操作手段は、画面上でカーソルによって指定されたリンクの張られていない部分情報を、キーワードとして指定させることを特徴とする請求項１に記載の文書情報管理装置。
【請求項４】
前記指定された部分情報の近傍に、前記検索手段に対する検索条件に関する情報を指定するための項目を表示する検索条件指定手段をさらに備え、
前記表示操作手段は、指定されたキーワードと指定された項目を前記検索手段に受け渡すことを特徴とする請求項１に記載の文書情報管理装置。
【請求項５】
前記項目は、検索データベースの指定をさせるものであることを特徴とする請求項４に記載の文書情報管理装置。
【請求項６】
前記指定された部分情報の近傍に、前記検索結果の出力条件に関する情報を指定するための項目を表示する出力条件指定手段をさらに備えたことを特徴とする請求項１に記載の文書情報管理装置。
【請求項７】
前記項目は、前記検索結果の出力先の指定をさせるものであることを特徴とする請求項６に記載の文書情報管理装置。
【請求項８】
表示対象情報の画面表示を行う表示ステップと、
前記表示ステップによって画面上に表示されている表示対象情報中の部分情報を指定させて、指定された部分情報をキーワードとして指定する指定ステップと、
前記指定ステップによって指定されたキーワードに基づいて、複数の表示対象情報を記憶した記憶手段から該当する表示対象情報を検索する検索ステップと、
前記検索ステップによる検索結果の画面表示を行う検索結果表示ステップと、
を含むことを特徴とする文書情報管理方法。
【請求項９】
前記検索結果に基づいて作成されたポップアップ画面を表示する画面表示ステップをさらに含むことを特徴とする請求項８に記載の文書情報管理方法。
【請求項１０】
前記指定ステップは、画面上でカーソルによって指定されたリンクの張られていない部分情報を、キーワードとして指定させることを特徴とする請求項８に記載の文書情報管理方法。
【請求項１１】
前記指定された部分情報の近傍に、前記検索手段に対する検索条件に関する情報を指定するための項目を表示する検索条件指定ステップをさらに含み、
前記検索ステップは、指定されたキーワードと指定された項目に基づいて、該当する表示対象情報を検索することを特徴とする請求項８に記載の文書情報管理方法。
【請求項１２】
前記項目は、検索データベースの指定をさせるものであることを特徴とする請求項１１に記載の文書情報管理方法。
【請求項１３】
前記指定された部分情報の近傍に、前記検索結果の出力条件に関する情報を指定するための項目を表示する出力条件指定ステップをさらに含むことを特徴とする請求項８に記載の文書情報管理方法。
【請求項１４】
前記項目は、前記検索結果の出力先の指定をさせるものであることを特徴とする請求項１３に記載の文書情報管理方法。
【手続補正２】
【補正対象書類名】明細書
【補正対象項目名】０００９
【補正方法】変更
【補正の内容】
【０００９】
上述した課題を解決し、目的を達成するために、請求項１にかかる発明は、表示対象情報を記憶した記憶手段と、前記表示対象情報の画面表示および操作を行う表示操作手段と、指定されたキーワードに基づいて前記記憶手段から該当する表示対象情報を検索する検索手段と、を備え、前記表示操作手段は、画面上に表示されている表示対象情報中の部分情報を指定させて、指定された部分情報を前記検索手段で使用するキーワードとして前記検索手段に受け渡すと共に、前記検索手段から検索結果を受け取って画面上に表示し、前記検索手段は、前記表示操作手段から受け渡されたキーワードを用いて該当する表示対象情報の検索を行い、検索結果を前記表示操作手段に受け渡すことを特徴とする文書情報管理装置である。
【手続補正３】
【補正対象書類名】明細書
【補正対象項目名】００１０
【補正方法】変更
【補正の内容】
【００１０】
また、請求項２にかかる発明は、請求項１に記載の文書情報管理装置において、前記検索結果に基づいて作成されたポップアップ画面を表示する画面表示手段をさらに備えたことを特徴とする。
【手続補正４】
【補正対象書類名】明細書
【補正対象項目名】００１１
【補正方法】変更
【補正の内容】
【００１１】
また、請求項３にかかる発明は、請求項１に記載の文書情報管理装置において、前記表示操作手段は、画面上でカーソルによって指定されたリンクの張られていない部分情報を、キーワードとして指定させることを特徴とする。
【手続補正５】
【補正対象書類名】明細書
【補正対象項目名】００１２
【補正方法】変更
【補正の内容】
【００１２】
また、請求項４にかかる発明は、請求項１に記載の文書情報管理装置において、前記指定された部分情報の近傍に、前記検索手段に対する検索条件に関する情報を指定するための項目を表示する検索条件指定手段をさらに備え、前記表示操作手段は、指定されたキーワードと指定された項目を前記検索手段に受け渡すことを特徴とする。
【手続補正６】
【補正対象書類名】明細書
【補正対象項目名】００１３
【補正方法】変更
【補正の内容】
【００１３】
また、請求項５にかかる発明は、請求項４に記載の文書情報管理装置において、前記項目は、検索データベースの指定をさせるものであることを特徴とする。
【手続補正７】
【補正対象書類名】明細書
【補正対象項目名】００１４
【補正方法】変更
【補正の内容】
【００１４】
また、請求項６にかかる発明は、請求項１に記載の文書情報管理装置において、前記指定された部分情報の近傍に、前記検索結果の出力条件に関する情報を指定するための項目を表示する出力条件指定手段をさらに備えたことを特徴とする。
【手続補正８】
【補正対象書類名】明細書
【補正対象項目名】００１５
【補正方法】変更
【補正の内容】
【００１５】
また、請求項７にかかる発明は、請求項６に記載の文書情報管理装置において、前記項目は、前記検索結果の出力先の指定をさせるものであることを特徴とする。
【手続補正９】
【補正対象書類名】明細書
【補正対象項目名】００１６
【補正方法】変更
【補正の内容】
【００１６】
また、請求項８にかかる発明は、表示対象情報の画面表示を行う表示ステップと、前記表示ステップによって画面上に表示されている表示対象情報中の部分情報を指定させて、指定された部分情報をキーワードとして指定する指定ステップと、前記指定ステップによって指定されたキーワードに基づいて、複数の表示対象情報を記憶した記憶手段から該当する表示対象情報を検索する検索ステップと、前記検索ステップによる検索結果の画面表示を行う検索結果表示ステップと、を含むことを特徴とする文書情報管理方法である。
【手続補正１０】
【補正対象書類名】明細書
【補正対象項目名】００１７
【補正方法】変更
【補正の内容】
【００１７】
また、請求項９にかかる発明は、請求項８に記載の文書情報管理方法において、前記検索結果に基づいて作成されたポップアップ画面を表示する画面表示ステップをさらに含むことを特徴とする。
【手続補正１１】
【補正対象書類名】明細書
【補正対象項目名】００１８
【補正方法】変更
【補正の内容】
【００１８】
また、請求項１０にかかる発明は、請求項８に記載の文書情報管理方法において、前記指定ステップは、画面上でカーソルによって指定されたリンクの張られていない部分情報を、キーワードとして指定させることを特徴とする。
【手続補正１２】
【補正対象書類名】明細書
【補正対象項目名】００１９
【補正方法】変更
【補正の内容】
【００１９】
また、請求項１１にかかる発明は、請求項８に記載の文書情報管理方法において、前記指定された部分情報の近傍に、前記検索手段に対する検索条件に関する情報を指定するための項目を表示する検索条件指定ステップをさらに含み、前記検索ステップは、指定されたキーワードと指定された項目に基づいて、該当する表示対象情報を検索することを特徴とする。
【手続補正１３】
【補正対象書類名】明細書
【補正対象項目名】００２０
【補正方法】変更
【補正の内容】
【００２０】
また、請求項１２にかかる発明は、請求項１１に記載の文書情報管理方法において、前記項目は、検索データベースの指定をさせるものであることを特徴とする。
【手続補正１４】
【補正対象書類名】明細書
【補正対象項目名】００２１
【補正方法】変更
【補正の内容】
【００２１】
また、請求項１３にかかる発明は、請求項８に記載の文書情報管理方法において、前記指定された部分情報の近傍に、前記検索結果の出力条件に関する情報を指定するための項目を表示する出力条件指定ステップをさらに含むことを特徴とする。
【手続補正１５】
【補正対象書類名】明細書
【補正対象項目名】００２２
【補正方法】変更
【補正の内容】
【００２２】
また、請求項１４にかかる発明は、請求項１３に記載の文書情報管理方法において、前記項目は、前記検索結果の出力先の指定をさせるものであることを特徴とする。
【手続補正１６】
【補正対象書類名】明細書
【補正対象項目名】００２３
【補正方法】変更
【補正の内容】
【００２３】
本発明によれば、画面上に表示されている表示対象情報中の部分情報を指定させて、指定された部分情報を検索手段で使用するキーワードとして検索手段に受け渡すと共に、検索手段から検索結果を受け取って画面上に表示し、検索手段は、表示操作手段から受け渡されたキーワードを用いて該当する表示対象情報の検索を行い、検索結果を表示操作手段に受け渡すことで、指定された部分情報をキーワードとして検索（キーワード検索または／および全文検索）を実行し、ハイパーテキストのボタンと同様に指定された単語から検索対象のページへ飛ぶことができるようにすることにより、文書情報管理および文書検索における利便性の向上、キーワードによる検索の操作性の向上、さらに検索を行う場合の作業性の向上を図ることができる。